【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
（ａ）コハク酸イミド分散剤、
（ｂ）摩耗防止剤、
（ｃ）極圧添加剤
を含んでなる油溶性潤滑剤用添加剤パッケージであって、該分散剤と該極圧剤の重量比が１：７−１：２であり、且つパッケージがホウ素を含まず、且つパッケージの全リン含量が５００ｐｐｍ以下である、該油溶性潤滑剤用添加剤パッケージ。
【請求項２】
（ａ）基油、及び
（ｂ）請求項１の油溶性潤滑剤用添加剤パッケージ
を含んでなる潤滑油。
【請求項３】
該潤滑油がＩＳＯＴ試験及びＬ６０−１試験からなる群からの少くとも１つの試験において満足できる成績を達成する、請求項２の潤滑油。
【請求項４】
機械が乗り物の車軸ギヤー及び乗り物の変速機ギヤーからなる群から選択される、請求項２の潤滑油で潤滑された機械。
【請求項５】
請求項１の油溶性潤滑剤用添加剤パッケージを含んでなる潤滑剤で該車軸組立品を少くとも部分的に満たす工程を含んでなる、車軸組立品を潤滑する方法。
【請求項６】
少くとも１つの駆動部品を請求項１の油溶性潤滑剤用添加剤パッケージを含んでなる潤滑剤と接触させる工程を含んでなる、少くとも１つの駆動部分の潤滑法。
【請求項７】
（ａ）５００ｐｐｍ以下のリンを含み、実質的にホウ素を含んでいない分散剤、及び
（ｂ）少くとも１つの防止剤、
を含んでなり、該防止剤と該分散剤の重量比が１：１７−４：５である、油溶性潤滑剤用添加剤パッケージ
【請求項８】
（ａ）基油、及び
（ｂ）請求項７の油溶性潤滑剤用添加剤パッケージ
を含んでなる潤滑油。
【請求項９】
機械が自動車のギヤー組立品及び自動車の変速機組立品からなる群から選択される、請求項８の潤滑油で潤滑された機械。
【請求項１０】
請求項７の油溶性潤滑剤用添加剤パッケージを含んでなる潤滑剤で該車軸組立品を少くとも部分的に満たす工程を含んでなる、車軸組立品を潤滑する方法。
【請求項１１】
少くとも１つの駆動部分を請求項７の油溶性潤滑剤用添加剤パッケージを含んでなる潤滑剤と接触させる工程を含んでなる、少くとも１つの駆動部分の潤滑法。
【請求項１２】
（ａ）５００ｐｐｍ以下のリンを含み、実質的にホウ素を含んでいない分散剤、及び
（ｂ）少くとも１つの摩耗防止剤、
を含んでなり、該分散剤と該摩耗防止剤の重量比が１０：１−２：１である、油溶性潤滑剤用添加剤パッケージ。
【請求項１３】
（ａ）基油、及び
（ｂ）請求項１２の油溶性潤滑剤用添加剤パッケージ
を含んでなる潤滑油。
【請求項１４】
該潤滑油がＩＳＯＴ試験及びＬ６０−１試験からなる群から選択される少くとも１つの試験において満足できる成績を達成する、請求項１３の潤滑油。
【請求項１５】
機械が乗り物の車軸ギヤー及び乗り物の変速機ギヤーからなる群から選択される、請求項１３の潤滑油で潤滑された機械。
【請求項１６】
請求項１２の油溶性潤滑剤用添加剤パッケージを含んでなる潤滑剤で該車軸組立品を少くとも部分的に満たす工程を含んでなる、車軸組立品を潤滑する方法。
【請求項１７】
少くとも１つの駆動部分を請求項１２の油溶性潤滑剤用添加剤パッケージを含んでなる潤滑剤と接触させる工程を含んでなる、少くとも１つの駆動部分の潤滑法。
【請求項１８】
（ａ）５００ｐｐｍ以下のリンを含み、実質的にホウ素を含んでいない分散剤、及び
（ｂ）少くとも１つの消泡剤、
を含んでなり、該分散剤と該消泡剤の重量比が３０：１−５：１である、油溶性潤滑剤用添加剤パッケージ
【請求項１９】
（ａ）基油、及び
（ｂ）請求項１８の油溶性潤滑剤用添加剤パッケージ
を含んでなる潤滑油。
【請求項２０】
機械が乗り物の車軸ギヤー及び乗り物の変速機ギヤーからなる群から選択される、請求項１９の潤滑油で潤滑された機械。
【請求項２１】
請求項１８の油溶性潤滑剤用添加剤パッケージを含んでなる潤滑剤で該車軸組立品を少くとも部分的に満たす工程を含んでなる、車軸組立品を潤滑する方法。
【請求項２２】
少くとも１つの駆動部分を請求項１８の油溶性潤滑剤用添加剤パッケージを含んでなる潤滑剤と接触させる工程を含んでなる、少くとも１つの駆動部分の潤滑法。
【手続補正２】
【補正対象書類名】明細書
【補正対象項目名】００５１
【補正方法】変更
【補正の内容】
【００５１】
以上、現在最も実際的な及び好適な具体例であると考えられるものと関連して本発明を記述してきたけれど、本発明は開示した具体例に限定されるものでなく、それとは逆に本発明の精神及び特許請求の範囲内に含まれる、引用により本明細書に包含された、種々の改変及び均等の事柄を網羅することが意図されていることを理解すべきである。
本発明の好適な実施の態様は次のとおりである。
１．  （ａ）コハク酸イミド分散剤、
（ｂ）摩耗防止剤、
（ｃ）極圧添加剤
を含んでなる油溶性潤滑剤用添加剤パッケージであって、該分散剤と該極圧剤の重量比が約１：７−約１：２であり、且つパッケージがホウ素を含まず、且つパッケージの全リン含量が約５００ｐｐｍ以下である、該油溶性潤滑剤用添加剤パッケージ。
２．  該分散剤がコハク酸イミド分散剤、コハク酸アミド、コハク酸エステル、及びコハク酸エステル−アミドの１つまたはそれ以上からなる群から選択される、上記１の油溶性潤滑剤用添加剤パッケージ。
３．  該極圧添加剤が硫化オレフィン、硫化脂肪酸エステル、及びアルキルポリスルフィドからなる群から選択される、上記１の油溶性潤滑剤用添加剤パッケージ。
４．  （ａ）基油、及び
（ｂ）上記１の油溶性潤滑剤用添加剤パッケージ
を含んでなる潤滑油。
５．  該潤滑油がＩＳＯＴ試験及びＬ６０−１試験からなる群からの少くとも１つの試験において満足できる成績を達成する、上記４の潤滑油。
６．  上記４の潤滑油で潤滑された機械。
７．  該機械が乗り物の車軸ギヤー及び乗り物の変速機ギヤーからなる群から選択される、上記６の機械。
８．  上記１の油溶性潤滑剤用添加剤パッケージを含んでなる乗り物。
９．  上記１の油溶性潤滑剤用添加剤パッケージを含んでなる潤滑剤で該車軸組立品を少くとも部分的に満たす工程を含んでなる、車軸組立品を潤滑する方法。
１０．  少くとも１つの駆動部品を上記１の油溶性潤滑剤用添加剤パッケージを含んでなる潤滑剤と接触させる工程を含んでなる、少くとも１つの駆動部分の潤滑法。
１１．  （ａ）約５００ｐｐｍ以下のリンを含み、実質的にホウ素を含んでいない分散剤、及び
（ｂ）少くとも１つの防止剤、
を含んでなり、該防止剤と該分散剤の重量比が約１：１７−約４：５である、油溶性潤滑剤用添加剤パッケージ
１２．  該分散剤がコハク酸イミド、コハク酸アミド、コハク酸エステル、及びコハク酸エステル−アミドを含む種々の種類の無灰分散剤の１つまたはそれ以上からなる群から選択される、上記１１の油溶性潤滑剤用添加剤パッケージ。
１３．  少くとも１つの該防止剤が腐食防止剤及び酸化防止剤からなる群から選択される、上記１１の油溶性潤滑剤用添加剤パッケージ。
１４．  少くとも１つの該防止剤がチアジアゾ−ル及びトリアゾ−ルからなる群から選択される、上記１１の油溶性潤滑剤用添加剤パッケージ。
１５．  （ａ）基油、及び
（ｂ）上記１１の油溶性潤滑剤用添加剤パッケージ
を含んでなる潤滑油。
１６．  該潤滑油がＩＳＯＴ試験及びＬ６０−１試験からなる群から選択される少くとも１つの試験において満足できる成績を達成する、上記１５の潤滑油。
１７．  上記１５の潤滑油で潤滑された機械。
１８．  該機械が自動車のギヤー組立品及び自動車の変速機組立品からなる群から選択される、上記１７の機械。
１９．  上記１１の油溶性潤滑剤用添加剤パッケージを含んでなる乗り物。
２０．  上記１１の油溶性潤滑剤用添加剤パッケージを含んでなる潤滑剤で該車軸組立品を少くとも部分的に満たす工程を含んでなる、車軸組立品を潤滑する方法。
２１．  少くとも１つの駆動部分を上記１１の油溶性潤滑剤用添加剤パッケージを含んでなる潤滑剤と接触させる工程を含んでなる、少くとも１つの駆動部分の潤滑法。
２２．  （ａ）約５００ｐｐｍ以下のリンを含み、実質的にホウ素を含んでいない分散剤、及び
（ｂ）少くとも１つの摩耗防止剤、
を含んでなり、該分散剤と該摩耗防止剤の重量比が約１０：１−約２：１である、油溶性潤滑剤用添加剤パッケージ。
２３．  該分散剤がコハク酸イミド、コハク酸アミド、コハク酸エステル、及びコハク酸エステル−アミドを含む種々の種類の無灰分散剤の１つまたはそれ以上からなる群から選択される、上記２２の該油溶性潤滑剤用添加剤パッケージ。
２４．  少くとも１つの摩耗防止剤がジヒドロカルビルポリスルフィド、硫化オレフィン、天然及び合成起源の硫化脂肪酸エステル、トリチオン、硫化チエニル誘導体、硫化テルペン、Ｃ2 −Ｃ8 モノオレフィンの硫化オリゴマ−、及び硫化ディ−ルス−アルダ−付加物からなる群から選択される、上記２２の油溶性潤滑剤用添加剤パッケージ。
２５．  （ａ）基油、及び
（ｂ）上記２２の油溶性潤滑剤用添加剤パッケージ
を含んでなる潤滑油。
２６．  該潤滑油がＩＳＯＴ試験及びＬ６０−１試験からなる群から選択される少くとも１つの試験において満足できる成績を達成する、上記２５の潤滑油。
２７．  上記２５の潤滑油で潤滑された機械。
２８．  該機械が乗り物の車軸ギヤー及び乗り物の変速機ギヤーからなる群から選択される、上記２７の機械。
２９．  上記２２の油溶性潤滑剤用添加剤パッケージを含んでなる乗り物。
３０．  上記２２の油溶性潤滑剤用添加剤パッケージを含んでなる潤滑剤で該車軸組立品を少くとも部分的に満たす工程を含んでなる、車軸組立品を潤滑する方法。
３１．  少くとも１つの駆動部分を上記２２の油溶性潤滑剤用添加剤パッケージを含んでなる潤滑剤と接触させる工程を含んでなる、少くとも１つの駆動部分の潤滑法。
３２．  （ａ）約５００ｐｐｍ以下のリンを含み、実質的にホウ素を含んでいない分散剤、及び
（ｂ）少くとも１つの消泡剤、
を含んでなり、該分散剤と該消泡剤の重量比が約３０：１−約５：１である、油溶性潤滑剤用添加剤パッケージ
３３．  該分散剤がコハク酸イミド、コハク酸アミド、コハク酸エステル、及びコハク酸エステル−アミドを含む種々の種類の無灰分散剤の１つまたはそれ以上からなる群から選択される、上記３２の油溶性潤滑剤用添加剤パッケージ。
３４．  少くとも１つの消泡剤がシロキサン含有ポリマ−からなる群から選択される、上記３２の油溶性潤滑剤用添加剤パッケージ。
３５．  （ａ）基油、及び
（ｂ）上記３２の油溶性潤滑剤用添加剤パッケージ
を含んでなる潤滑油。
３６．  該潤滑油がＩＳＯＴ試験及びＬ６０−１試験からなる群から選択される少くとも１つの試験において満足できる成績を達成する、上記３５の潤滑油。
３７．  上記３５の潤滑油で潤滑された機械。
３８．  該機械が乗り物の車軸ギヤー及び乗り物の変速機ギヤーからなる群から選択される、上記３７の機械。
３９．  上記３２の油溶性潤滑剤用添加剤パッケージを含んでなる乗り物。
４０．  上記３２の油溶性潤滑剤用添加剤パッケージを含んでなる潤滑剤で該車軸組立品を少くとも部分的に満たす工程を含んでなる、車軸組立品を潤滑する方法。
４１．  少くとも１つの駆動部分を上記３２の油溶性潤滑剤用添加剤パッケージを含んでなる潤滑剤と接触させる工程を含んでなる、少くとも１つの駆動部分の潤滑法。